(57)【要約】【課題】  既設ドア枠に額縁が取付けてある場合でも、外壁の厚みに関わりなく、額縁材の切断を要することなく、額縁付き新設ドア枠の取付けが可能な改装構造を提供する。【解決手段】  既設ドア枠の内周部に新設ドア枠を取付けるドア枠の改装構造において、新設ドア枠の上枠と縦枠の外周部の屋外側部分に当接部を設け、上枠及び縦枠に新設額縁材を固着してなる。各額縁材は、断面ほぼコ字形に形成されその凹溝が屋内方向に向くように備える。額縁材は、出入口側一辺が当接部に当接された状態で出入口から遠い側の他辺が出入口を形成する外壁の屋外側面に対向近接される幅を有し、出入口側の一辺が当接部にねじで固着されて、既設の額縁材を隠蔽する。新設額縁材は当接部に対する当接位置を変えることにより屋内外方向の固着位置が調整可能とされている。【選択図】      図１
2005139673.tif 000002
【特許請求の範囲】
【請求項１】
既設のドア枠を残したまま、その既設ドア枠の内周部に新設のドア枠を取付けるドア枠の改装構造において、前記新設のドア枠の上枠と縦枠の外周部の屋外側部分に当接部を設け、前記上枠及び縦枠に新設の額縁材を固着してなり、各額縁材は、断面ほぼコ字形に形成されてその凹溝が屋内方向に向くように備えられ、出入口側の一辺が前記当接部に当接された状態で前記出入口から遠い側の他辺が前記出入口を形成する外壁の屋外側面に対向近接される幅を有し、前記出入口側の一辺が前記当接部にねじで固着されて、前記既設ドア枠に取付けられている既設の額縁材を隠蔽するものであり、前記新設の額縁材は前記当接部に対する当接位置を変えることにより屋内外方向の固着位置が調整可能であることを特徴とするドア枠の改装構造。
【請求項２】
当接部と額縁材の一辺との双方に互いに噛み合って係止する溝条が形成されていることを特徴とする請求項１に記載のドア枠の改装構造。
【請求項３】
額縁材の他辺の屋内側端部に、その額縁材と外壁の屋外側面との間に充填されるコーキング材を受ける溝が形成されていることを特徴とする請求項１又は２に記載のドア枠の改装構造。
【請求項４】
一辺において既設ドア枠の縦枠の屋外側面に固着され、他辺において新設ドア枠の縦枠の外周面に固着されるＬ型ブラケットに、出入口から遠い側において前記他辺に近接する位置にその他辺とほぼ平行に前記新設ドア枠の縦枠に設けられている当接部至近位置まで延出する延長辺を設け、前記新設ドア枠の縦枠を前記Ｌ型ブラケットにより前記既設ドア枠の縦枠に固着した状態で前記当接部に当接した額縁材の一辺を前記当接部と前記延長辺とで挟持するようにしたことを特徴とする請求項１，２，３又は４に記載のドア枠の改装構造。
【発明の詳細な説明】
【技術分野】
【０００１】
本発明は、既設のドア枠を残したまま、新設のドア枠を取付けるための改装構造に関する。
【背景技術】
【０００２】
例えば玄関ドア枠、その他のドア枠は、アルミニウム合金やスチール等の金属製であるため、期間の経過とともに、腐食、破損、退色などの老朽化により見栄えが悪くなったり、ドア開閉に不具合が生じたりすることは避けられない。このような事態が発生したときは、ドア枠及びドアの取換えが望まれるが、ドア枠を全部取換える場合は、ドア枠の取外しばかりでなく、躯体、床タイル等のドア枠周りの取壊し工事及びドア枠取付け後の補修工事が必要となるため、多額のコストがかかる。このようなコスト上の問題を回避する方法として、躯体に直接接続されている既設のドア枠を残存させ、その中に設けられているドア、無目、方立、袖部等を除去して、既設のドア枠の内周部に新設のドア枠を取付けて既設ドア枠を隠蔽し、その新設ドア枠に新しいドア、無目、方立、袖部等を取付ける改装方法が、特許文献１，２，３に既に開示されている。
【特許文献１】実開昭５９−１９６６７６号公報
【特許文献２】特開昭６３−２１０３８２号公報
【特許文献３】実開平７−３８５４３号公報
【０００３】
これらの先行技術は、いずれも、既設ドア枠の内周部に新設ドア枠を取付け、その新設ドア枠の屋内側に屋内側化粧カバーを、屋外側に屋外側化粧カバーをそれぞれ添設して、既設ドア枠と新設ドア枠との間の隙間を被覆して見栄えを良くしようとしている点において共通する。
【０００４】
しかしながら、屋外側化粧カバーは、いずれも、出入口側の一端が新設ドア枠の屋外側面に当接され、出入口から遠い側の他端が出入口を形成する外壁の内周面に近接され、その屋外側化粧カバーの他端と外壁の内周面との間にコーキング材を充填するように構成されている。
【０００５】
上記構成の屋外側化粧カバーは、外壁の厚さの大小に関わりなく取付可能である利点を有する反面、既設ドア枠の屋外側に額縁が取付けてある場合は、その額縁の屋外方向突出量に対応できる構成になっていないため、既設額縁の取外しが必要になる。また、額縁は通常、装飾目的から既設ドア枠の屋外側面から外壁の屋外側面よりも屋外側まで突出され、出入口から遠い側の端部が外壁の内周面に近接又は当接されて、その額縁の他端と外壁の内周面との間にコーキング材が充填される態様で取付けられている。上記先行技術は額縁がこのような態様で取付けられている既設ドア枠には対応できないという問題がある。  
【０００６】
さらに、先行技術における屋外側化粧カバーの形状を変更して、出入口から遠い側の他端を外壁の屋外側面に当接して取付けられる額縁として使用しようとしても、外壁はまちまちの厚みを有するが、先行技術における屋外側化粧カバーは、いずれも出入口開口面と平行な左右方向には位置調整が可能であるが、出入口開口面と直交する方向、すなわち、屋内外方向には位置調整が不可能である。このため、先行技術における屋外側化粧カバーの形状を変更して、出入口から遠い側の他端を外壁の屋外側面に当接して取付けられる額縁として使用しようとする場合は、その額縁材を外壁の厚みに応じてその都度切断加工しなければならないという煩雑さがある。その他、従来は、外壁の屋外側面から突出する額縁付き既設ドア枠に適用できる改装構造が提供されていなかったので、外壁の屋外側面から突出する額縁付き既設ドア枠を改装する場合は、依然として既設額縁の取外し、外壁の出入口外周部分の取壊し、新設ドア枠及び新設額縁取付け後の外壁補修を必要とした。
【発明の開示】
【発明が解決しようとする課題】
【０００７】
本発明は、上記の事情に鑑みてなされたものであり、その課題は、既設ドア枠に外壁の屋外側面から突出する額縁が取付けてある場合でも、外壁の厚みの大小に関わりなく、かつ、額縁材の切断加工を要することなく、新設額縁の取付けが容易にできるドア枠の改装構造を提供することにある。
【課題を解決するための手段】
【０００８】
上記課題を解決するため、本発明は、既設ドア枠を残したまま、その既設ドア枠の内周部に新設ドア枠を取付けるドア枠の改装構造において、（ａ）新設ドア枠の上枠と縦枠の外周部の屋外側部分に当接部を設け、前記上枠及び縦枠に新設額縁材を前記当接部に固着してなり、（ｂ）各額縁材は、断面ほぼコ字形に形成されてその凹溝が屋内方向に向くように備えられ、出入口側の一辺が前記当接部に当接された状態で前記出入口から遠い側の他辺が前記出入口を形成する外壁の屋外側面に対向近接される幅を有し、前記出入口側の一辺が前記当接部にねじで固着されて、前記既設ドア枠に取付けられている既設額縁材を隠蔽するものであり、（ｃ）前記新設額縁材は前記当接部に対する当接位置を変えることにより屋内外方向の固着位置が調整可能であることを特徴としている。
【０００９】
当接部と額縁材の一辺との双方に互いに噛み合って係止する溝条が形成されていることが望ましい。
【００１０】
額縁材の他辺の屋内側端部に、その額縁材と外壁の屋外側面との間に充填れるコーキング材を受ける溝が形成されていることが望ましい。
【００１１】
本発明の好ましい実施の態様は、上記ドア枠の改装構造において、一辺において既設ドア枠の縦枠の屋外側面に固着され、他辺において新設ドア枠の縦枠の外周面に固着されるＬ型ブラケットに、出入口から遠い側において前記他辺に近接する位置にその他辺とほぼ平行に前記新設ドア枠の縦枠に設けられている当接部至近位置まで延出する延長辺を設け、前記新設ドア枠の縦枠を前記Ｌ型ブラケットにより前記既設ドア枠の縦枠に固着した状態で前記当接部に当接した額縁材の一辺を前記当接部と前記延長辺とで挟持するようにしたことを特徴としている。
【発明の効果】
【００１２】
請求項１の発明によれば、既設ドア枠及び既設額縁は新設ドア枠及び新設額縁により隠蔽される。新設額縁材は新設ドア枠の上枠及び縦枠の当接部に対する当接位置を変えることにより屋内外方向の固着位置が調整可能であるから、外壁の厚みの大小に関わりなく額縁材の取付けが可能であり、額縁材の現場での切断加工による調整が不要である。従って、ドア枠の改装施工能率が著しく向上し、現場切断加工に伴う見栄え不良の問題も生じない。
【００１３】
当接部と額縁材の一辺との双方に互いに噛み合って係止する溝条が形成されている場合は、額縁材の他辺の先端を外壁の屋外側面に当接した状態で額縁材の一辺を当接部に溝条の噛み合いにより係止させて安定した状態でねじ締着ができ、額縁材取付け能率が向上する。
【００１４】
額縁材の他辺の屋内側端部に、その額縁材と外壁の屋外側面との間に施されるコーキング材を受ける溝が形成されている場合は、新設額縁材の他辺と外壁の屋外側面との間にコーキング材を容易確実に適量を充填して、新設額縁材と新設ドア枠との間に水密性を確保することができるとともに、既設額縁のコーキング材は残置されるので、既設額縁材と外壁との間の水密性が補強される。
【００１５】
上記の改装構造において、一辺において既設ドア枠の縦枠の屋外側面に固着され、他辺において新設ドア枠の縦枠の外周面に固着されるＬ型ブラケットに、出入口から遠い側において前記他辺に近接する位置にその他辺とほぼ平行に前記新設ドア枠の縦枠に設けられている当接部至近位置まで延出する延長辺を設け、前記新設ドア枠の縦枠を前記Ｌ型ブラケットにより前記既設ドア枠の縦枠に固着した状態で前記当接部に当接した額縁材の一辺を前記当接部と前記延長辺とで挟持するようにした場合は、新設ドア枠を既設ドア枠に固着するためにＬ型ブラケットを取付ける通常の作業のみで、額縁材を取付けの際にその一辺を新設ドア枠の縦枠の当接部に当接し、適切に位置に係止した状態でその額縁材を仮固定することができるので、その後のねじ締着作業を安定して確実に行うことができる。
【発明を実施するための最良の形態】
【００１６】
続いて、本発明の好ましい実施の形態について、図面に基づいて説明する。
図１は本発明を玄関ドア枠の改装に適用した一実施例の縦断面図、図２は同横断面図、図３はＬ型ブラケットの一例を示す斜視図である。
【００１７】
図１，２においてＷ，ＯＢは、それぞれ玄関の出入口Ｏを画成している外壁及びくつずりの基礎モルタルである。１１は既設ドア枠の上枠、１２は同既設ドア枠の縦枠、１３は同既設ドア枠の下枠（くつずり）であり、上枠１１と縦枠１２はそれぞれまぐさ１と柱２にねじｏｓ１により止着されている。下枠１３は既設基礎モルタルＯＢに一部が埋設されている。そして、１４は既設ドア枠の上枠１１及び縦枠１２の屋外側面に添設された既設額縁材であり、まぐさ１，柱２の屋外側面にねじｏｓ２により止着されている。図示の例では、上枠１１及び縦枠１２の屋外側面に添設された既設額縁材が同一の断面形状を有しているが、形状が多少相違する場合も取付け構造は基本的には異ならない。さに、１５は既設額縁材１４と外壁Ｗの屋外側面の端部との間に充填された既設コーキング材である。  
【００１８】
同じく図１，２において、２１は新設ドア枠の上枠、２２は同新設ドア枠の縦枠、２３は同新設ドア枠の下枠である。新設ドア枠は、上枠２１、縦枠２２及び下枠２３をビスホールにビスをねじ込む周知の接続技術により矩形枠体に組立てられれており、次のようにして取付けられる。すなわち、新設ドア枠を既設ドア枠の内周部に嵌合し、既設ドア枠の縦枠１２と新設ドア枠の縦枠２２の間に間隔調整木片２４ｓを押入介在させて縦枠２２の左右位置決め及び垂直レベル取りをし、さらに既設ドア枠の上枠１１と新設ドア枠の上枠２１との間に間隔調整木片２４ｕを押入介在させて、新設ドア枠の上枠２１の水平レベル取りを行う。その後、左右の新設ドア枠の縦枠２２の内周面からねじＮＳ１をその縦枠２２と既設ドア枠の縦枠１２に貫通し、さらに柱２までねじ込むことにより固定する。続いて、新設ドア枠の下枠２３と既設基礎モルタルＯＢとの間に新設基礎モルタルＮＢを充填して既設ドア枠の下枠１３を被覆するとともに、ねじＮＳ２を新設ドア枠の下枠２３の上面から貫通し下枠１３にねじ込むことにより固定する。そして、最後に、新設ドア枠の上枠２１の内周面からねじＮＳ３をその上枠２１及び既設ドア枠の上枠１１に貫通し、まぐさ１にねじ込むことにより固定する。
【００１９】
新設ドア枠の縦枠２２は、さらに、その外周部において後に詳述されるＬ型ブラケット４を用いて、既設ドア枠の縦枠１２に固定される。すなわち、Ｌ型ブラケット４の互いに直角方向に延びる２辺の内の一方の辺を既設ドア枠の縦枠１２の柱２に対する取付け縁に当接するとともに、ねじＮＳ４をその取付け縁にねじ込んで固定し、他方の辺を新設ドア枠の縦枠１２の外周面にねじＮＳ５で固着してある。
【００２０】
上記新設ドア枠の上枠２１と縦枠２２には、それぞれの外周部の屋外側部分に、当接部２１ａ，２２ａが設けられている。上枠２１の当接部２１ａは、これにねじＮＳ６を出入口Ｏ側から外壁の屋外側面と平行であって出入口から遠ざかる上方向にねじ込むことができるように水平面に沿って屋内外方向に延在している。また、縦枠２２の当接部２２ａはこれにねじＮＳ６を出入口Ｏ側から外壁の屋外側面と平行であって出入口から遠ざかる横方向にねじ込むことができるように垂直面に沿って屋内外方向に延在している。また、好ましくは、各当接部２１ａ，２２ａのねじのねじ込み側に凹む溝２１ｂ，２２ｂが形成され、各溝２１ｂ，２２ｂにキャップ２１ｃ，２２ｃを嵌着して溝を遮閉することができる。これにより、当接部２１ａ，２２ａにねじ込んだねじＮＳ６の頭が外部に露見されないようにしてある。
【００２１】
なお、図１，２の新設ドア枠の上枠２１及び縦枠２２は、図面の簡明化のため、一体物として示されているが、高断熱性ドア枠の場合は、上枠及び縦枠がそれぞれ屋外側に面する金属製枠と屋内側に面する樹脂製枠とを結合してなる既知の物が使用されるのであって、本発明は、そのいずれであっても構わない。
【００２２】
図１，２において、３１，３２はそれぞれ、新設ドア枠の上枠２１及び縦枠２２の屋外側端部に前記当接部２１ａ，２２ａを用いて固着されて、外壁Ｗと新設ドア枠の上枠２１及び縦枠２２との間の間隙及び既設額縁材１４を隠蔽する新設額縁材である。上枠２１に取付けられる額縁材３１と縦枠２２に取付けられる額縁材３２は図示の例では若干形状が異なるが、その形状は装飾目的により任意に決められるが、基本的形状として、ほぼコ字形の断面形状を有し、開口を屋内方向に向けて装着される。そして、額縁材３１，３２の出入口側の一辺３１ａ，３２ａは新設ドア枠の当接部２１ａ，２２ａに屋内外方向に移動可能に当接することができる。そして、各新設ドア枠の上枠２１及び縦枠２２の当接部２１ａ，２２ａと額縁材３１，３２の当接部分には、互いに噛み合って係止される溝条が形成されている。互いに噛合して係止するならば、溝条の間隔・断面形状は任意である。
【００２３】
また、各額縁材３１，３２は、その他辺３１ｂ，３２ｂの先端を出入口Ｏから既設額縁材１４よりも外側において外壁Ｗの屋外側面に対向当接させた状態で、前記一辺３１ａ，３２ａを新設ドア枠の当接部２１ａ，２２ａに当接することができる程度の幅（出入口開口面に沿った幅寸法）を有している。既設額縁材１４の出入口開口面に沿った幅寸法や屋外方向の突出量には種々ある。新設額縁材３１，３２の幅及び開口の深さは、それら各種の既設額縁材１４を隠蔽し収容することができる寸法とされている。
【００２４】
上記構成を有する新設額縁材３１，３２は、次のようにして取付けられる。すなわち、まず、上額縁材３１の長手方向両端面を左右の縦額縁材３２の上端部対向面に当接し、両縦額縁材３２の外側からビス３３を上額縁材３１に形成してあるビスホール３１ｃにねじ込む周知の接続方法により門型の額縁を組立てる。その新設額縁を出入口Ｏの屋外側から新設ドア枠に接近させ、上額縁材３１の内周側の一辺３１ａを新設ドア枠の上枠２１の当接部２１ａの上面に載せ、引き続き、縦額縁材３２の内周側の一辺３２ａを新設ドア枠の縦枠２２の当接部２２ａの出入口Ｏと反対側の面に当接する。
【００２５】
この状態で各当接部２１ａ，２２ａに出入口Ｏ側からねじＮＳ６を貫通し、額縁材３１，３２の一辺３１ａ，３２ａにねじ込むことにより、各額縁材を新設ドア枠に固着する。この場合、Ｌ型ブラケット４を利用せずに、又は他の係止部材を用いて係止するなどして仮固定した状態で、額縁材の固着作業をすることも可能であるが、本発明の好ましい実施の形態においては、Ｌ型ブラケット４に簡単な構成を付加することにより、そのＬ型ブラケットを利用してねじ込み作業を安定確実に行うことを可能にしてある。進んでそのＬ型ブラケットの構成を詳述する。
【００２６】
Ｌ型ブラケット４は、図３に示すように、既設ドア枠の縦枠１２の取付け縁１２ａに当接されてねじＮＳ４で固着される第１辺４ａと、その第１辺の中央部の一端から直角に延び、新設ドア枠の縦枠２２の外周面にねじＮＳ５で固着される第２辺４ｂと、その第２辺の両側において第２辺よりも第１辺の他端側に所定距離離間された位置から直角に第２辺よりも長く延び、第２辺との間に新設額縁材の一辺３２ａを挟持し得る第３辺（延長辺）４ｃとを有して、概略Ｌ字形に形成されており、第１辺と第２辺にはねじＮＳ４，ＮＳ５を挿通するための長孔４ｄ，４ｅが設けてある。前記所定距離とは、新設額縁材３２の一辺３２ａの厚みとほぼ等しい距離である。強いて述べれば、第１辺４ａの説明上記入した２本の点線Ｌ１，Ｌ２の内側部分と第２辺４ｂとで形成される部分が通常の単純形状のＬ型ブラケットであるが、本発明では、第１辺４ａを点線から両外側に延長し、その各延長部分の第２辺４ｂと同一側に若干の距離を隔てて第３辺４ｃを設けたものということができる。
【００２７】
上記構成を有するＬ型ブラケット４は、上述したように、また図２に示すように、第１辺４ａの長孔４ｄに挿通したねじＮＳ４を既設ドア枠の縦枠１２の取付け縁にねじ込み、第２辺４ｂの長孔４ｅに挿通したねじＮＳ５を新設ドア枠の縦枠２２の外周面にねじ込むことにより固着される。このようなＬ型ブラケット４は縦額縁材３２の高さ方向に適当な間隔を持って複数個配設される。
【００２８】
そして、新設額縁の縦額縁材３２を取付ける際は、その縦額縁材３２の出入口側の一辺３２ａを第３辺４ｃと第２辺４ｂとの間に挿入又は押入して、両縦額縁材３２の他辺の先端が外壁の屋外側面に当接又は近接し、かつ、全長に渡って垂直になるように、当接部２２ａに対する当接位置を必要に応じて変更して調整作業が行われる。縦額縁材３２はＬ型ブラケット４の第２辺４ｂと第３辺４ｃの間に挟持して係止されるので、調整後の位置に仮固定することができる。その仮固定された状態で、各当接部２１ａ，２２ａに貫通したねじＮＳ６を新設額縁材３１，３２にねじ込むことにより、新設額縁が終局的に固定される。その後、各当接部２１ａ，２２ａの溝２１ｂ，２２ｂにキャップ２１ｃ，２２ｃが嵌着される。
【００２９】
額縁材３１，３２は、これを屋内外方向に移動して、その一辺を外壁の屋外側面に近接した状態で他辺を当接部２１ａ，２２ａに当接係止して、ねじ止めにより固着されるので、外壁Ｗの厚みに関わりなく、取付けることができる。従って、外壁の厚みに応じて額縁材の現場切断加工を行う必要がない。縦額縁材の仮固定の際に、当接部２２ａ及び縦額縁材の当接部分に互いに噛み合う溝条が形成されている場合は、その仮固定がしっかり行われ、かつ、縦額縁材が自重その他の外力により固定位置が不要に変動する恐れがない。
【００３０】
上記のようにして新設額縁材３１，３２の固定後に、上額縁材の他辺３１ｂの先端部と外壁Ｗの屋外側面との間、及び縦額縁材の他辺３２ｂの先端部と外壁Ｗの屋外側面との間にコーキング材３５を充填する。この場合、上額縁材３１の他辺３１ｂの先端部と縦額縁材の他辺３２ｂの先端部にＬ型の溝３１ｄ，３２ｄが形成してあると、上額縁材の他辺３１ｂの先端と外壁Ｗとの間、及び縦額縁材の他辺３２ｂの先端部と外壁Ｗとの間にそれぞれ適量のコーキング材３５を所要位置に確実に充填することが可能になるので好ましい。  
【００３１】
新設額縁材と外壁との間のコーキング材３５は、既設額縁材と外壁との間の既設コーキング材１５に関して出入口Ｏから遠い位置に設けられるので、既設コーキング材１５に劣化、亀裂、一部剥離等が生じている場合も、それらがすべて新設コーキング材３５により補完されるので、水密性が確保される。また、既設コーキング材１５が完全に隠蔽されるので、額縁付き新設ドア枠の見栄えが向上する。
【００３２】
図１，２において、５１，５２は新設ドア枠の屋内側に周知の方法により取付けられた新設屋内側額縁を構成する上額縁材と縦額縁材である。この新設額縁材５１，５２は合成樹脂製であり、新設ドア枠の屋内側面に当接され、出入口の内方に開口する溝５１ａ，５２ａからねじＮＳ７をまぐさ１又は柱２までねじ込んで固定されている。溝５１ａ，５２ａはキャップ５１ｂ，５２ｂが嵌着されて遮閉される。
【００３３】
図１，２においてＤは新設ドア枠に取付けられた新設ドアであり、親子ドアの組合わせ、ドアと袖部の組合わせのいずれでもよい。Ｔは新設ドア枠の下枠２３の屋内側端部と既設基礎モルタルＯＢの間に設けられたステンレススチール製の段差緩和材である。
【図面の簡単な説明】
【００３４】
【図１】本発明を玄関ドア枠の改装に適用した一実施例の縦断面図
【図２】同横断面図。
【図３】Ｌ型ブラケットの一例を示す斜視図である。
【符号の説明】
【００３５】
Ｗ      外壁
ＯＢ    既設基礎モルタル
Ｏ      出入口
１１    既設ドア枠の上枠
１２    既設ドア枠の縦枠
１３    既設ドア枠の下枠
１４    既設ドア枠の額縁材
１５    既設額縁のコーキング材
２１    新設ドア枠の上枠
２２    新設ドア枠の縦枠
２３    新設ドア枠の下枠
２１ａ  当接部
２２ａ  当接部
３１    新設額縁の上額縁材
３２    新設額縁の縦額縁材
３１ａ，３２ａ  一辺
３１ｂ，３２ｂ  他辺
３１ｄ，３２ｄ  溝
３５    新設額縁のコーキング材
４      Ｌ型ブラケット
４ａ    第１辺
４ｂ    第２辺
４ｃ    第３辺
【図１】
2005139673.tif 000003
【図２】
2005139673.tif 000004
【図３】
2005139673.tif 000005